(57)【要約】【課題】安全に簡便な画像付きのホームページの閲覧ができる。【解決手段】ホームページに掲載する画像の閲覧方法であって、ホームページ管理者はネットワーク上のサーバへ閲覧用画像をアップロードして、ホームページを閲覧するＵＲＬ以外のサイトに写真アルバムを作成すると共に、前記写真アルバムの閲覧許可者の個人情報を登録する。【選択図】図１
2004246569.tif 000002
【特許請求の範囲】
【請求項１】
ホームページに掲載する画像の閲覧方法であって、
ホームページ管理者はネットワーク上のサーバへ閲覧用画像をアップロードして、
ホームページを閲覧するＵＲＬ以外のサイトに写真アルバムを作成すると共に、前記写真アルバムの閲覧許可者の個人情報を登録することを特徴とするホームページの閲覧方法。
【請求項２】
請求項１で作成した写真アルバムの閲覧許可者ではない者が、個人情報を用いて閲覧申請を行い、前記ホームページ管理者の承諾を得ることで写真アルバムの閲覧許可者となれることを特徴とするホームページの閲覧方法。
【請求項３】
前記写真アルバムの閲覧許可者の個人情報を用いることで閲覧できることを特徴とする請求項１または請求項２に記載のホームページの閲覧方法。
【請求項４】
前記ホームページ管理者は、前記写真アルバムに画像及び／またはコメントの追加を可能とすることを特徴とする請求項１乃至請求項３のいずれか１項に記載のホームページの閲覧方法。
【請求項５】
前記ホームページ管理者は、追加の画像及び／またはコメントの編集が可能であることを特徴とする請求項４に記載のホームページの閲覧方法。
【請求項６】
前記ホームページ管理者は、追加の画像及び／またはコメントの識別表示を行なうことを特徴とする請求項４に記載のホームページの閲覧方法。
【請求項７】
前記ホームページ管理者は、追加の画像及び／またはコメントの閲覧を不能にすることを特徴とする請求項４に記載のホームページの閲覧方法。
【請求項８】
前記ホームページ管理者は、写真アルバムの所定の画像をプリント不能にすることを特徴とする請求項１乃至請求項３のいずれか１項に記載のホームページの閲覧方法。
【請求項９】
前記ホームページ管理者は、画像及び／またはコメントの追加を閲覧許可者に通知することを特徴とする請求項１乃至請求項３のいずれか１項に記載のホームページの閲覧方法。
【請求項１０】
前記ホームページ管理者は、追加の画像及び／またはコメントの閲覧不能を、追加した閲覧許可者に通知することを特徴とする請求項９に記載のホームページの閲覧方法。
【請求項１１】
前記ホームページ管理者は、所定の画像のプリント不能を、閲覧許可者に通知することを特徴とする請求項１乃至請求項３のいずれか１項に記載のホームページの閲覧方法。
【請求項１２】
請求項３乃至請求項１１のいずれか１項に記載のホームページの閲覧方法を利用して写真アルバムに掲載された画像のプリント注文方法であって、
写真アルバムの閲覧許可者は所望の画像を指定するだけで注文が許可されることを特徴とするプリント注文方法。
【請求項１３】
ネットワークと、
前記ネットワークに接続され、ホームページに掲載する写真アルバムの閲覧用画像を有するサーバと、
前記ネットワークに接続され、前記ネットワーク上のサーバへ閲覧用画像をアップロードして、ホームページを閲覧するＵＲＬ以外のサイトに写真アルバムを作成すると共に、前記写真アルバムの閲覧許可者の個人情報を登録するユーザ端末とを有することを特徴とするホームページの閲覧システム。
【請求項１４】
請求項１３で作成した写真アルバムの閲覧許可者ではない者が、個人情報を用いて閲覧申請を行い、前記ホームページ管理者の承諾を得るユーザ端末を有することを特徴とするホームページの閲覧システム。
【請求項１５】
前記ユーザ端末では、前記写真アルバムの閲覧許可者の個人情報を用いることで前記写真アルバムを閲覧できることを特徴とする請求項１３または請求項１４に記載のホームページの閲覧システム。
【請求項１６】
前記ホームページ管理者は、前記写真アルバムに画像及び／またはコメントの追加を可能とすることを特徴とする請求項１３乃至請求項１５のいずれか１項に記載のホームページの閲覧システム。
【請求項１７】
前記ホームページ管理者は、追加の画像及び／またはコメントの編集が可能であることを特徴とする請求項１６に記載のホームページの閲覧システム。
【請求項１８】
前記ホームページ管理者は、追加の画像及び／またはコメントの識別表示を行なうことを特徴とする請求項１６に記載のホームページの閲覧システム。
【請求項１９】
前記ホームページ管理者は、追加の画像及び／またはコメントを閲覧不能にすることを特徴とする請求項１６に記載のホームページの閲覧システム。
【請求項２０】
前記ホームページ管理者は、写真アルバムの所定の画像をプリント不能にすることを特徴とする請求項１３乃至請求項１５のいずれか１項に記載のホームページの閲覧システム。
【請求項２１】
前記ホームページ管理者は、画像及び／またはコメントの追加を他の閲覧許可者に通知することを特徴とする請求項１３乃至請求項１５のいずれか１項に記載のホームページの閲覧システム。
【請求項２２】
前記ホームページ管理者は、追加の画像及び／またはコメントの閲覧不能を、追加した閲覧許可者に通知することを特徴とする請求項２１に記載のホームページの閲覧システム。
【請求項２３】
前記ホームページ管理者は、所定の画像のプリント不能を、閲覧許可者に通知することを特徴とする請求項１３乃至請求項１５のいずれか１項に記載のホームページの閲覧システム。
【請求項２４】
請求項３乃至請求項１１のいずれか１項に記載のホームページの閲覧方法を利用して写真アルバムに掲載された画像のプリント注文方法であって、
写真アルバムの閲覧許可者は所望の画像を指定するだけで注文できることを特徴とするプリント注文方法。
【請求項２５】
請求項１５乃至請求項２３のいずれか１項に記載のホームページの閲覧システムを利用して写真アルバムに掲載された画像のプリント注文システムであって、
写真アルバムの閲覧許可者が所望の画像を指定するだけで画像のプリントを注文できるユーザ端末を有することを特徴とするプリント注文システム。
【請求項２６】
前記ホームページから前記写真アルバムへの誘導は、前記ホームページ上に前記写真アルバムへのリンクにより行うことを特徴とする請求項２５に記載のプリント注文システム。
【請求項２７】
前記閲覧許可の対象となる前記写真アルバムを静的アルバムとすることを特徴とする請求項２５または請求項２６に記載のプリント注文システム。
【請求項２８】
請求項１５乃至請求項２３のいずれか１項に記載のホームページの閲覧システムを利用して写真アルバムに掲載された画像のプリント注文システムであって、
プリント注文状況を前記ホームページ管理者に通知することを特徴とするプリント注文システム。
【発明の詳細な説明】
【０００１】
【発明の属する技術分野】
この発明は、安全に簡便な画像付きのホームページの閲覧方法及びシステムと、画像の簡単なプリント注文方法及びシステムに関し、さらに詳しくはホームページに掲載する写真画像はホームページ管理者によって許可された者のみが閲覧できる方法及びシステムであり、許可された者は所望の画像を簡単に注文できるプリント注文方法及びシステムに関する。
【０００２】
【従来の技術】
ブロードバンド接続が普及することによって、インターネットが益々身近になってきた。常時接続が一般化し、あらゆる情報のやり取りにインターネットが利用されるようになり、大なり小なりさまざまなホームページが作成され、多くのユーザに閲覧されている。ホームページには、企業や公共団体などが作成したもの以外にも、個人や愛好家団体が作成・管理しているものが多数存在している。
【０００３】
これらのホームページに共通して言えることが、内容を面白く、また閲覧する人に興味を持ってもらうために、デザインやレイアウトに凝る以外にも、文字の羅列だけでなく多くのコンテンツを含んでいる。コンテンツの中で最も一般的なのが、写真画像である。特に地域のスポーツクラブや幼稚園・保育園などで管理されているホームページでは、対外試合や合宿や行事などでの子供の写真を掲載していることが多く、特に写真アルバムのページと称して写真画像を主なコンテンツとして、作られているものも少なくない。
【０００４】
このような画像を含んでいるホームページを作成するには、タグを利用してページを作成できるＨＴＭＬを利用したプログラミングや、市販のホームページ作成用ソフトウェアを利用することが良く知られている。
【０００５】
さらに、ネットワーク上にあるサーバに写真画像をアップロードして画像を指定して写真アルバムを作成して、写真アルバムのＵＲＬ（Ｕｎｉｆｏｒｍ  Ｒｅｓｏｕｒｃｅ  Ｌｏｃａｔｏｒ）とパスワードを用いて、仲間で楽しむという技術が開示されている（例えば特許文献１）。
【０００６】
【特許文献１】
特開平１１−２０３３５９号公報（第１〜第１０、図１〜図９）
【０００７】
【発明が解決しようとする課題】
しかしながら、上述したようなＨＴＭＬなどを利用した画像を含むホームページの閲覧方法では、いくつかの問題が考えられる。
【０００８】
１つ目は、写真に写っている人物のプライバシーについてである。スポーツクラブや幼稚園では、主に子供が被写体となっている写真が掲載されていることが多い。多くのホームページは、写真アルバムのＵＲＬさえ知っていれば誰でも閲覧可能であるし、知らなくても検索で簡単に見つけることもでき、子供の安全や保護ということでは無防備と言える。さらに、勝手に我が子の写真を掲載されたというトラブルの発生もあり得るが、一人一人に画像の使用許諾を伺っているのでは、手間や掲載の遅れが発生して、インターネットのメリットを生かすことができない。
【０００９】
２つ目は、画像閲覧者が掲載画像のプリントを所望しても、高品位の写真画像を得ることが難しいことがあげられる。多くの場合、ホームページで閲覧する画像は低解像度に変換されており、そのまま画像データを取り込んでプリントしても低品位である。別の手段として、ホームページ管理者や撮影者から元画像データの提供やプリントそのものをお願いすることも可能ではあろうが、頼みづらいし、また頼まれる方も元画像の管理などが必要で面倒である。
【００１０】
３つ目としては、もともとＨＴＭＬなどは写真アルバム作成に不向きなことがあげられる。デジタルカメラで撮影されたスナップ写真などは大量であることが多く、またホームページ管理者には個々の写真の価値がわからないために、結局多くの写真を掲載してしまう。ところが、デジタルカメラなどで撮影した高解像度画像は、大きいファイルであり、ホームページでの閲覧目的には適していない。そこで前述したように、掲載画像はホームページ管理者や撮影者によって、いちいち低解像に変換するという作業を要求されるからである。
【００１１】
また、特許文献１などに開示された技術をホームページ用の写真アルバムに応用できる。具体的には、作成した写真アルバムのＵＲＬをホームページの写真アルバムを開くボタンなどにハイパーリンク設定しておき、ボタンを押すと写真アルバムＵＲＬに飛んでおくようにしておけばよい。このようなネットワーク上のサーバを利用した公開写真アルバムシステムは、閲覧画像を全てサーバにアップロードしてしまい、ホームページ上に直接画像を持たないために、掲載画像の扱いは簡単である。
【００１２】
また、写真アルバムの閲覧には、パスワードを設定して閲覧者を限定することができ、プライバシーを保護できる反面、パスワードを忘れてしまって閲覧できないということが発生しやすい。さらに閲覧者のプリント注文も可能なものの、プリントサービスを受けるためだけなのに、煩雑な会員登録手続きを要求するシステムや、氏名や住所や電子メールのみの簡単な登録だけでプリント注文はできるものの、逆にプリント業者にとってはいたずら注文が舞い込むなどのリスクの高いシステムであり十分であるとは言えない。
【００１３】
以上のように、従来の技術では、安全でしかも簡便に画像付きのホームページを閲覧でき、さらにプリント注文を行うことは困難であり、新たな解決手段が必要とされていた。
【００１４】
この発明は、かかる点に鑑みてなされたもので、安全に簡便な画像付きのホームページの閲覧ができるホームページの閲覧方法及びホームページの閲覧システムと、画像の簡単なプリント注文方法及びプリント注文システムを提供することを目的としている。
【００１５】
【課題を解決するための手段】
前記課題を解決し、かつ目的を達成するように、この発明は、以下のように構成した。
【００１６】
請求項１に記載の発明は、ホームページに掲載する画像の閲覧方法であって、ホームページ管理者はネットワーク上のサーバへ閲覧用画像をアップロードして、
ホームページを閲覧するＵＲＬ以外のサイトに写真アルバムを作成すると共に、前記写真アルバムの閲覧許可者の個人情報を登録することを特徴とするホームページの閲覧方法である。
【００１７】
この請求項１に記載の発明によれば、ホームページ管理者が画像をアップロードし写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができる。
【００１８】
請求項２に記載の発明は、請求項１で作成した写真アルバムの閲覧許可者ではない者が、個人情報を用いて閲覧申請を行い、前記ホームページ管理者の承諾を得ることで写真アルバムの閲覧許可者となれることを特徴とするホームページの閲覧方法である。
【００１９】
この請求項２に記載の発明によれば、ホームページ管理者の承諾を得ることで、簡単に写真アルバムの閲覧許可者となれ、ホームページに掲載する写真画像はホームページ管理者によって許可された者のみが閲覧できる。
【００２０】
請求項３に記載の発明は、前記写真アルバムの閲覧許可者の個人情報を用いることで閲覧できることを特徴とする請求項１または請求項２に記載のホームページの閲覧方法である。
【００２１】
この請求項３に記載の発明によれば、写真アルバムの閲覧許可者の個人情報を用いることで、ホームページに掲載する写真画像はホームページ管理者によって許可された者のみが閲覧できる。
【００２２】
請求項４に記載の発明は、前記ホームページ管理者は、前記写真アルバムに画像及び／またはコメントの追加を可能とすることを特徴とする請求項１乃至請求項３のいずれか１項に記載のホームページの閲覧方法である。
【００２３】
この請求項４に記載の発明によれば、写真アルバムに画像及び／またはコメントの追加することで、多くの写真を集めて掲載することができる。
【００２４】
請求項５に記載の発明は、前記ホームページ管理者は、追加の画像及び／またはコメントの編集が可能であることを特徴とする請求項４に記載のホームページの閲覧方法である。
【００２５】
この請求項５に記載の発明によれば、追加の画像及び／またはコメントの編集が可能であり、ホームページ管理者が自由に、削除したり、位置を変えたり、サイズを変えたり等して写真アルバムを作成することができる。
【００２６】
請求項６に記載の発明は、前記ホームページ管理者は、追加の画像及び／またはコメントの識別表示を行なうことを特徴とする請求項４に記載のホームページの閲覧方法である。
【００２７】
この請求項６に記載の発明によれば、追加した画像及び／またはコメントであることを容易に知らせることができる。
【００２８】
請求項７に記載の発明は、前記ホームページ管理者は、追加の画像及び／またはコメントの閲覧不能にすることを特徴とする請求項４に記載のホームページの閲覧方法である。
【００２９】
この請求項７に記載の発明によれば、好ましくない等の理由がある追加の画像及び／またはコメントは、閲覧不能にすることができる。
【００３０】
請求項８に記載の発明は、前記ホームページ管理者は、写真アルバムの所定の画像をプリント不能にすることを特徴とする請求項１乃至請求項３のいずれか１項に記載のホームページの閲覧方法である。
【００３１】
この請求項８に記載の発明によれば、プリントして欲しくない等の理由がある所定の画像をプリント不能にすることができる。
【００３２】
請求項９に記載の発明は、前記ホームページ管理者は、画像及び／またはコメントの追加を他の閲覧許可者に通知することを特徴とする請求項１乃至請求項３のいずれか１項に記載のホームページの閲覧方法である。
【００３３】
この請求項９に記載の発明によれば、画像及び／またはコメントの追加を他の閲覧許可者に通知することで、より閲覧許可者へのサービスが向上する。
【００３４】
請求項１０に記載の発明は、前記ホームページ管理者は、追加の画像及び／またはコメントの閲覧不能を、追加した閲覧許可者に通知することを特徴とする請求項９に記載のホームページの閲覧方法である。
【００３５】
この請求項１０に記載の発明によれば、追加の画像及び／またはコメントの閲覧不能を、追加した閲覧許可者に通知することで、よりサービスが向上する。
【００３６】
請求項１１に記載の発明は、前記ホームページ管理者は、所定の画像のプリント不能を、閲覧許可者に通知することを特徴とする請求項１乃至請求項３のいずれか１項に記載のホームページの閲覧方法である。
【００３７】
この請求項１１に記載の発明によれば、所定の画像のプリント不能を、閲覧許可者に通知することで、より閲覧許可者へのサービスが向上する。
【００３８】
請求項１２に記載の発明は、請求項３乃至請求項１１のいずれか１項に記載のホームページの閲覧方法を利用して写真アルバムに掲載された画像のプリント注文方法であって、
写真アルバムの閲覧許可者は所望の画像を指定するだけで注文が許可されることを特徴とするプリント注文方法である。
【００３９】
この請求項１２に記載の発明によれば、写真アルバムの閲覧許可者は所望の画像を指定するだけで所望の画像を簡単に注文できる。
【００４０】
請求項１３に記載の発明は、ネットワークと、
前記ネットワークに接続され、ホームページに掲載する写真アルバムの閲覧用画像を有するサーバと、
前記ネットワークに接続され、前記ネットワーク上のサーバへ閲覧用画像をアップロードして、ホームページを閲覧するＵＲＬ以外のサイトに写真アルバムを作成すると共に、前記写真アルバムの閲覧許可者の個人情報を登録するユーザ端末とを有することを特徴とするホームページの閲覧システムである。
【００４１】
この請求項１３に記載の発明によれば、ホームページ管理者が画像をアップロードし写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができる。
【００４２】
請求項１４に記載の発明は、請求項１３で作成した写真アルバムの閲覧許可者ではない者が、個人情報を用いて閲覧申請を行い、前記ホームページ管理者の承諾を得るユーザ端末を有することを特徴とするホームページの閲覧システムである。
【００４３】
この請求項１４に記載の発明によれば、ホームページ管理者の承諾を得ることで、簡単に写真アルバムの閲覧許可者となれ、ホームページに掲載する写真画像はホームページ管理者によって許可された者のみが閲覧できる。
【００４４】
請求項１５に記載の発明は、前記ユーザ端末では、前記写真アルバムの閲覧許可者の個人情報を用いることで前記写真アルバムを閲覧できることを特徴とする請求項１３または請求項１４に記載のホームページの閲覧システムである。
【００４５】
この請求項１５に記載の発明によれば、写真アルバムの閲覧許可者の個人情報を用いることで、ホームページに掲載する写真画像はホームページ管理者によって許可された者のみが閲覧できる。
【００４６】
請求項１６に記載の発明は、前記ホームページ管理者は、前記写真アルバムに画像及び／またはコメントの追加を可能とすることを特徴とする請求項１３乃至請求項１５のいずれか１項に記載のホームページの閲覧システムである。
【００４７】
この請求項１６に記載の発明によれば、写真アルバムに画像及び／またはコメントの追加することで、多くの写真を集めて掲載することができる。
【００４８】
請求項１７に記載の発明は、前記ホームページ管理者は、追加の画像及び／またはコメントの編集が可能であることを特徴とする請求項１６に記載のホームページの閲覧システムである。
【００４９】
この請求項１７に記載の発明によれば、追加の画像及び／またはコメントの編集が可能であり、ホームページ管理者が自由に、削除したり、位置を変えたり、サイズを変えたり等して写真アルバムを作成することができる。
【００５０】
請求項１８に記載の発明は、前記ホームページ管理者は、追加の画像及び／またはコメントの識別表示を行なうことを特徴とする請求項１６に記載のホームページの閲覧システムである。
【００５１】
この請求項１８に記載の発明によれば、追加した画像及び／またはコメントであることを容易に知らせることができる。
【００５２】
請求項１９に記載の発明は、前記ホームページ管理者は、追加の画像及び／またはコメントの閲覧不能にすることを特徴とする請求項１６に記載のホームページの閲覧システムである。
【００５３】
この請求項１９に記載の発明によれば、好ましくない等の理由がある追加の画像及び／またはコメントは、閲覧不能にすることができる。
【００５４】
請求項２０に記載の発明は、前記ホームページ管理者は、写真アルバムの所定の画像をプリント不能にすることを特徴とする請求項１３乃至請求項１５のいずれか１項に記載のホームページの閲覧システムである。
【００５５】
この請求項２０に記載の発明によれば、プリントして欲しくない等の理由がある所定の画像をプリント不能にすることができる。
【００５６】
請求項２１に記載の発明は、前記ホームページ管理者は、画像及び／またはコメントの追加を他の閲覧許可者に通知することを特徴とする請求項１３乃至請求項１５のいずれか１項に記載のホームページの閲覧システムである。
【００５７】
この請求項２１に記載の発明によれば、画像及び／またはコメントの追加を他の閲覧許可者に通知することで、より閲覧許可者へのサービスが向上する。
【００５８】
請求項２２に記載の発明は、前記ホームページ管理者は、追加の画像及び／またはコメントの閲覧不能を、追加した閲覧許可者に通知することを特徴とする請求項２１に記載のホームページの閲覧システムである。
【００５９】
この請求項２２に記載の発明によれば、追加の画像及び／またはコメントの閲覧不能を、追加した閲覧許可者に通知することで、よりサービスが向上する。
【００６０】
請求項２３に記載の発明は、前記ホームページ管理者は、所定の画像のプリント不能を、閲覧許可者に通知することを特徴とする請求項１３乃至請求項１５のいずれか１項に記載のホームページの閲覧システムである。
【００６１】
この請求項２３に記載の発明によれば、所定の画像のプリント不能を、閲覧許可者に通知することで、より閲覧許可者へのサービスが向上する。
【００６２】
請求項２４に記載の発明は、請求項３乃至請求項１１のいずれか１項に記載のホームページの閲覧方法を利用して写真アルバムに掲載された画像のプリント注文方法であって、
写真アルバムの閲覧許可者は所望の画像を指定するだけで注文できることを特徴とするプリント注文方法である。
【００６３】
この請求項２４に記載の発明によれば、写真アルバムの閲覧許可者は所望の画像を指定するだけで所望の画像を簡単に注文できる。
【００６４】
請求項２５に記載の発明は、請求項１５乃至請求項２３のいずれか１項に記載のホームページの閲覧システムを利用して写真アルバムに掲載された画像のプリント注文システムであって、
写真アルバムの閲覧許可者が所望の画像を指定するだけで画像のプリントを注文できるユーザ端末を有することを特徴とするプリント注文システムである。
【００６５】
この請求項２５に記載の発明によれば、写真アルバムの閲覧許可者は所望の画像を指定するだけで所望の画像を簡単に注文できる。
【００６６】
請求項２６に記載の発明は、前記ホームページから前記写真アルバムへの誘導は、前記ホームページ上に前記写真アルバムへのリンクにより行うことを特徴とする請求項２５に記載のプリント注文システムである。
【００６７】
この請求項２６に記載の発明によれば、ホームページから写真アルバムへの誘導をホームページ上に写真アルバムへのリンクにより簡単に行なうことができる。
【００６８】
請求項２７に記載の発明は、前記閲覧許可の対象となる前記写真アルバムを静的アルバムとすることを特徴とする請求項２５または請求項２６に記載のプリント注文システムである。
【００６９】
この請求項２７に記載の発明によれば、閲覧許可の対象となる写真アルバムは、多数の人がアクセスしてくることが予め想定できるため、これを静的ページとして作り置きしておき、多数のアクセスが来た時にも快適にプリント注文が受けられるようにでき、便利である。
【００７０】
請求項２８に記載の発明は、請求項１５乃至請求項２３のいずれか１項に記載のホームページの閲覧システムを利用して写真アルバムに掲載された画像のプリント注文システムであって、
プリント注文状況を前記ホームページ管理者に通知することを特徴とするプリント注文システムである。
【００７１】
この請求項２８に記載の発明によれば、プリント注文状況をホームページ管理者に通知することで、ホームページ管理者は自分の撮影した画像を誰が何枚プリントしたかがわかり、これにより、閲覧許可者を今後だれにするか、ホームページ管理者はこのデータを参考にでき、また撮影の幅が広がる。
【００７２】
【発明の実施の形態】
以下、この発明のホームページの閲覧方法、プリント注文方法、ホームページの閲覧システム及びプリント注文システムの実施の形態を図面に基づいて説明するが、この発明は、この実施の形態に限定されない。
【００７３】
図１はホームページの閲覧システム及びプリント注文システムの実施の形態をを示す図である。図１において、ネットワーク１に、サーバ２、ユーザ端末３とホームページ管理者端末４が接続され、それぞれネットワーク１を介して通信可能となっている。
【００７４】
ネットワーク１とは、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００７５】
サーバ２とは、ネットワーク１を介して閲覧用画像がアップロードされ、ホームページに掲載する写真アルバムの閲覧用画像、情報等が登録される。
【００７６】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。カメラを備える携帯電話では、カメラの撮像で画像の取り込みを行なうことができ、カメラを備えない携帯電話では、他の電子機器からの通信により画像を受信して画像の取り込みを行なうことができる。
【００７７】
ホームページ管理者は、ホームページ管理者端末４からネットワーク１上のサーバ２へ閲覧用画像をアップロードして、ホームページを閲覧するＵＲＬ以外のサイトに写真アルバムを作成すると共に、写真アルバムの閲覧許可者の個人情報を登録する。
【００７８】
また、写真アルバムの閲覧許可を受けた者、あるいは写真アルバムの閲覧許可を希望する者が、ユーザ端末３を使用する。
【００７９】
このホームページの閲覧システムでは、図２乃至図６に示すように、ホームページ管理者が画像をアップロードして写真アルバムを作成し、写真アルバムの閲覧許可者を登録する。図２は写真アルバムの作成システムのホームページ画面を示す図、図３は写真アルバムの作成メニューを示す図、図４は写真アルバムを示す図、図５は写真アルバムの作成過程を示す図、図６は写真アルバムの閲覧許可者を登録するフロー、図７は写真アルバムの閲覧許可者のリストを示す図である。
【００８０】
ホームページ管理者が写真アルバムを作成する場合は、ホームページ管理者端末４を用いて、図２に示すオンラインラボのホームページ画面を開くことができる。このホームページ画面には、会員ＩＤ入力欄１０、パスワード入力欄１１、ログインボタン１２、会員登録ボタン１３が設けられている。
【００８１】
ホームページ管理者が会員である場合には、会員ＩＤ入力とパスワード入力し、ログインすると、図３に示す写真アルバムの作成メニューを開くことができる。この写真アルバムのホームページ画面には、ネット上にアップロードされた画像の保管場所のピクチャーボックス２０と、ピクチャーボックス２０の画像を自由に選んで個別に整理できるアルバム編集３０が用意されている。
【００８２】
ピクチャーボックス２０には、画像をピクチャーボックス２０にアップロードするアップロードボタン２１、ピクチャーボックス２０に登録された画像を閲覧、編集する閲覧編集ボタン２２、ピクチャーボックス２０に保管できる容量の増加を行なう容量設定ボタン２３が設けられている。
【００８３】
アルバム編集３０には、タイトル、コメント、表紙を決めて画像を登録してアルバムを新規に作成する新規作成ボタン３１、アルバムの画像を一覧で見たり、拡大表示で見るアルバム閲覧ボタン３２、アルバムのタイトル、コメント、表紙の変更、画像の追加、削除を行なうアルバム編集ボタン３３、写真アルバムの閲覧を許可した者の閲覧許可者リストボタン３４、写真アルバムの登録ボタン３５が設けられている。
【００８４】
この写真アルバムの作成は、新規作成ボタン３１をクリックして図５に示すように、タイトル、コメント、表紙を決めて画像を登録してアルバムを新規に作成する。
【００８５】
この写真アルバムの編集では、図５（ａ）に示すように、完成して写真アルバムに画像を追加したり、削除したりすることができる。
【００８６】
また、写真アルバムの編集では、図５（ｂ）に示すように、ホームページ管理者がコメントｃの追加を可能にすることができる。この追加コメントｃは、ホームページ管理者が変更したり、削除したりすることができる。
【００８７】
また、写真アルバムの編集では、図５（ｃ）に示すように、ホームページ管理者は、画像の並び順を、例えば、撮影年月日順、撮影者別等、自由に変えることができる。
【００８８】
また、写真アルバムの編集では、図５（ｄ）に示すように、ホームページ管理者は、画像のサイズを自由に変えることができる。このように、追加の画像及び／またはコメントの編集が可能であり、ホームページ管理者が自由に、削除したり、位置を変えたり、サイズを変えたり等して写真アルバムを作成することができる。
【００８９】
また、写真アルバムの編集では、図５（ｅ）に示すように、ホームページ管理者は、画像の表示、非表示を指定することができ、好ましくない等の理由がある追加の画像及び／またはコメントは、閲覧不能にすることができる。
【００９０】
また、プリントの許可、不許可を指定することができ、プリントして欲しくない等の理由がある所定の画像をプリント不能にすることができる。
【００９１】
次に、ホームページ管理者が、図３の写真アルバムの作成メニューから図４に示すような写真アルバムを作成し、写真アルバムの閲覧許可者を登録するフローを図６に基づいて説明する。
【００９２】
ホームページ管理者が初めて写真アルバムを作成するには、ホームページ管理者端末４を用いて、図２に示すオンラインラボのホームページ画面を開き、会員登録ボタン１３をクリックしてサーバ使用の会員登録ＩＤ、パスワードの設定を行なうと（Ｓａ１１）、ネットワーク１上のサーバ２では会員登録の受付を行なう（Ｓｂ１１）。
【００９３】
既に会員登録を行っているホームページ管理者は、会員ＩＤ及びパスワードを入力してログオンする。ログオンすると図３の写真アルバムの作成メニューが開き、ユーザのホームページ管理者は、アップロードボタン２１をクリックしてアップロード画面を開き、ネットワーク１上のサーバ２へ閲覧用画像をアップロードし（Ｓａ１２）、サーバ２に保存される（Ｓｂ１２）。
【００９４】
そして、ホームページ管理者は、図３の写真アルバムの作成メニューを開き、閲覧編集ボタン２２、容量設定ボタン２３をクリックしてネット上にアップロードされた画像を編集し、新規作成ボタン３１、アルバム編集ボタン３３等をクリックしてホームページを閲覧するＵＲＬ以外のサイトに、複数の閲覧用画像のレイアウト等を行なって編集して写真アルバムを、例えば図４及び図５に示すように作成し（Ｓａ１３）、サーバ２に保存される（Ｓｂ１３）。
【００９５】
ホームページ管理者は、写真アルバムを作成すると共に、図３の閲覧許可者リストボタン３４をクリックして写真アルバムの閲覧許可者の個人情報のリストを、例えば図７に示すように作成する（Ｓａ１４）。この写真アルバムの閲覧許可者の個人情報のリストには、氏名、氏名のふりがな、郵便番号、住所、電話番号、Ｅ−ｍａｉｌアドレス、続柄、申請者顔写真等が記載される。
【００９６】
この写真アルバムの閲覧許可者の個人情報のリストは、閲覧許可者を特定可能な個人情報であれば特に限定されず、１つの情報でも、２つ以上の情報でもよい。例えば氏名だけ、Ｅ−ｍａｉｌアドレスだけでもよく、氏名と住所、氏名と電話番号、氏名とＥ−ｍａｉｌアドレス等でもよい。
【００９７】
申請者の顔写真を、ユーザー端末３からアップロードできるようにすると、閲覧を許可するしないの判断がしやすい。このアップロードは、携帯電話等に付属するカメラからアップロードを受け付けることも可能である。また、この申請自体を携帯電話の通信機能を用いて行えるようにし、申請者顔写真は、その携帯電話の撮影機能でアップロードできるようにしてもよい。
【００９８】
この写真アルバムの閲覧許可者の個人情報のリストは、サーバ２に登録される（Ｓｂ１４）。以上が完了したら、ホームページ管理者は、図３の写真アルバムの登録ボタン３５を押して登録を行う（Ｓａ１５）と、サーバ２は、写真アルバムを閲覧する為のＵＲＬの発行を行う（Ｓｂ１５）。
【００９９】
ホームページ管理者は、図９に示すように、ホームページ上に写真アルバムＵＲＬのハイパーリンクを施した写真閲覧用のボタン４１を設置して、ホームページを完成させて公開する（Ｓａ１６）。
【０１００】
次に、このホームページの閲覧システムでは、図８に示すように、写真アルバムの閲覧許可者のみ閲覧することができる。
【０１０１】
ユーザ端末３から写真アルバムの閲覧希望者は、ホームページへアクセスし（Ｓｆ１１）、図９に示したような目的ページを表示する（Ｓｇ１１）。写真アルバムを閲覧したい場合はユーザ端末３でリンクボタン４１をクリックすることで写真アルバムへアクセスし（Ｓｆ１２）、ネットワーク１上のサーバ２で閲覧者と接続する（Ｓｈ１１）。ホームページから写真アルバムへの誘導は、ホームページ上に写真アルバムへのリンクにより簡単に行なうことができる。
【０１０２】
サーバ２では、図１０のように写真アルバムの閲覧希望者に個人情報を要求し（Ｓｈ１２）、閲覧許可者がユーザー端末３から個人情報を入力する（Ｓｆ１３）。
【０１０３】
サーバ２では、個人情報を予め登録されている写真アルバムの閲覧許可者の個人情報のリストと照合する（Ｓｈ１３）。個人情報は、例えば氏名、Ｅ−ｍａｉｌアドレス、電話番号のうち少なくとも２つの情報とすることが好ましいが、氏名と住所等としても良い。
【０１０４】
この個人情報の照合で、一致している場合は閲覧許可し、一致していない場合は閲覧許可しないこととする（Ｓｈ１４）。承諾した場合は、閲覧許可者がユーザ端末３で写真アルバムの閲覧が可能となる。
【０１０５】
このように、ホームページ管理者が画像をアップロードし写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができる。
【０１０６】
次に、このホームページの閲覧システムでは、図１１及び図１２に示すように、写真アルバムの閲覧許可者ではない者が閲覧許可を受けることができる。図１１は写真アルバムの閲覧許可を受けるフロー、図１２は閲覧許可申請書の表示を示す図である。
【０１０７】
写真アルバムの閲覧許可者ではない者、即ち閲覧許可申請者は、ユーザ端末３から写真アルバムＵＲＬにアクセスし（Ｓｃ１１）、このアクセスは写真アルバムの閲覧許可者ではない者からであるために閲覧不可となり、図１２に示す閲覧許可申請書の表示が行なわれる（Ｓｃ１２）。
【０１０８】
この閲覧許可申請書では、アクセスしたユーザが閲覧許可リストに登録されていないこと、閲覧登録を希望する場合は登録手続きを行なうこと、閲覧許可されると連絡することが記載され、ユーザの氏名、氏名のふりがな、郵便番号、住所、電話番号、Ｅ−ｍａｉｌアドレス、続柄、申請者の顔写真等を記載するようになっている。
【０１０９】
ユーザ端末３から閲覧許可申請者が、閲覧許可申請書にユーザの氏名、氏名のふりがな、郵便番号、住所、電話番号、Ｅ−ｍａｉｌアドレス、続柄、申請者の顔写真等の個人情報を記入して閲覧許可申請を行なう（Ｓｃ１３）。
【０１１０】
この写真アルバムの閲覧許可申請者の個人情報は、閲覧を許可することが可能な者を特定可能な個人情報であれば特に限定されず、１つの情報でも、２つ以上の情報でもよく、サーバ２の写真アルバムの閲覧許可者の個人情報のリストに必要な情報を閲覧許可申請書に記載するようにすることが好ましい。
【０１１１】
この個人情報を用いて閲覧申請を行うと、ネットワーク１上のサーバ２では、閲覧許可申請を仮登録する（Ｓｄ１１）。そして、サーバ２は、閲覧許可申請をホームページ管理者に通知し、承諾の可否を問う（Ｓｄ１２）。
【０１１２】
ホームページ管理者は、閲覧許可申請情報をサーバー２から受信すると（Ｓｅ１１）、閲覧許可申請を承諾するか否かを判断する（Ｓｅ１２）。ホームページ管理者が承諾する場合には、承諾送信をサーバ２へ行ない（Ｓｅ１３）、承諾しない場合には、拒否送信をサーバ２へ行なう（Ｓｅ１４）。
【０１１３】
サーバ２では、承諾送信を受けると図７に示す写真アルバムの閲覧許可者の個人情報のリストに追加し、拒否送信を受けると追加しない（Ｓｄ１３）。そして、閲覧許可申請者に、閲覧を許可した場合には閲覧許可のメイル送信を行ない、閲覧を許可しない場合には閲覧不許可のメイル送信を行なう（Ｓｄ１４）。
【０１１４】
閲覧許可申請者は、メイル受信し（Ｓｃ１４）、閲覧許可のメイルで閲覧可能になり、閲覧不許可のメイルで閲覧不可能になる（Ｓｃ１５）。
【０１１５】
このように、ユーザは、ホームページ管理者の承諾を得ることで、簡単に写真アルバムの閲覧許可者となれ、ホームページに掲載する写真画像はホームページ管理者によって許可された者のみが閲覧できる。
【０１１６】
次に、プリント注文方法及びプリント注文システムを、図１３に基づいて説明する。図１３はプリント注文のフローである。
【０１１７】
この実施の形態は、ホームページの閲覧方法及びシステムを利用して写真アルバムに掲載された画像のプリントを注文する方法及びシステムであり、閲覧許可者がユーザー端末３で写真アルバム図４の閲覧を行ない（Ｓｉ１１）、プリントしたい画像を選択し、サイズ、プリント枚数を入力して送信すると（Ｓｉ１２）、ネットワーク１上のサーバ２で注文内容を受信する（Ｓｊ１１）。
【０１１８】
このステップＳｉ１２において、気にいった写真を選択し、サイズ、プリント枚数を入力して送信するときに、プリントの受け取りを自宅配達、あるいは例えば写真取り次ぎ店、コンビニエンスストア等受取場所を指定してもよい。
【０１１９】
サーバ２では、注文内容、金額、個人情報（氏名、住所等）の確認票を閲覧許可者のユーザー端末３に送信する（Ｓｊ１２）。
【０１２０】
閲覧許可者のユーザ端末３では、確認票を受信し（Ｓｉ１３）、注文内容通りであるとプリントの注文が終了するが（Ｓｉ１４）、注文内容が異なった場合や後に変更したい場合には修正を行ない（Ｓｉ１５）、ステップ（Ｓｉ１２）ヘ移行して再度送信する。
【０１２１】
サーバ２では、注文受付が完了すると（Ｓｊ１３）、プリント工程へ移行する（Ｓｊ１４）。
【０１２２】
このように、ホームページの閲覧方法及びシステムを利用して写真アルバムに掲載された画像のプリントを注文する場合に、写真アルバムの閲覧許可者は所望の画像を指定するだけで所望の画像を簡単に注文できる。
【０１２３】
即ち、いわゆるＷｅｂページの作成には、静的ページ（絵や文章が固定されていて、予め作りおきしてあるもの）と、動的ページ（絵や文章のデータが、閲覧者のリクエストを受けてから生成・転送されるもの）の２種類があるが、オンラインラボのようなＷｅｂページでは、ユーザのリクエストに応じて、データベースから写真をサーチし、必要な加工に施してからデータを転送するため、ここで言う動的ページになっているが、この場合、ユーザ数に応じて予め静的ページを作り置きするよりも、サーバの容量は少なくて済む反面、ユーザの端末で表示されるまでにサーチや加工のための時間がかかってしまうという欠点がある。
【０１２４】
然し、閲覧許可の対象となる写真アルバムは、多数の人がアクセスしてくることが予め想定できるため、これを静的ページとして作り置きしておき、多数のアクセスがきた時にも快適にプリント注文が受けられるようにでき、便利である。
【０１２５】
また、このプリント注文システムにおいて、プリント注文状況をホームページ管理者に通知する。この通知は、ホームページ管理者宛てのメ−ルまたはホームページ管理者が、プリント注文システムのログイン時の表示にて行う。
【０１２６】
プリント注文システムのログイン時の表示は、図７に示すように、閲覧許可者リストの注文実績の欄に、閲覧許可者に対応して実際に注文した写真のＵＲＬ（アドレス）と枚数を表示する。
【０１２７】
ホームページ管理者宛てのメ−ルによる場合は、ホームページ管理者は、図１４に示すようになメールで受け取る。
【０１２８】
これにより、ホームページ管理者は、自分の撮影した画像を誰が何枚プリントしたかがわかり、閲覧許可者を今後だれにするか、ホームページ管理者はこのデータを参考にでき、また撮影の幅が広がる。
【０１２９】
【発明の効果】
前記したように、請求項１及び請求項１３に記載の発明では、ホームページ管理者が画像をアップロードし写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができる。
【０１３０】
請求項２及び請求項１４に記載の発明では、ホームページ管理者の承諾を得ることで、簡単に写真アルバムの閲覧許可者となれ、ホームページに掲載する写真画像はホームページ管理者によって許可された者のみが閲覧できる。
【０１３１】
請求項３及び請求項１５に記載の発明では、写真アルバムの閲覧許可者の個人情報を用いることで、ホームページに掲載する写真画像はホームページ管理者によって許可された者のみが閲覧できる。
【０１３２】
請求項４及び請求項１６に記載の発明では、写真アルバムに画像及び／またはコメントの追加することで、多くの写真を集めて掲載することができる。
【０１３３】
請求項５及び請求項１７に記載の発明では、追加の画像及び／またはコメントの編集が可能であり、ホームページ管理者が自由に、削除したり、位置を変えたり、サイズを変えたり等して写真アルバムを作成することができる。
【０１３４】
請求項６及び請求項１８に記載の発明では、追加した画像及び／またはコメントであることを容易に知らせることができる。
【０１３５】
請求項７及び請求項１９に記載の発明では、好ましくない等の理由がある追加の画像及び／またはコメントは、閲覧不能にすることができる。
【０１３６】
請求項８及び請求項２０に記載の発明では、プリントして欲しくない等の理由がある所定の画像をプリント不能にすることができる。
【０１３７】
請求項９及び請求項２１に記載の発明では、画像及び／またはコメントの追加を他の閲覧許可者に通知することで、より閲覧許可者へのサービスが向上する。
【０１３８】
請求項１０及び請求項２２に記載の発明では、追加の画像及び／またはコメントの閲覧不能を、追加した閲覧許可者に通知することで、よりサービスが向上する。
【０１３９】
請求項１１及び請求項２３に記載の発明では、所定の画像のプリント不能を、閲覧許可者に通知することで、より閲覧許可者へのサービスが向上する。
【０１４０】
請求項１２及び請求項２４に記載の発明では、写真アルバムの閲覧許可者は所望の画像を指定するだけで所望の画像を簡単に注文できる。
【０１４１】
請求項２５に記載の発明では、写真アルバムの閲覧許可者は所望の画像を指定するだけで所望の画像を簡単に注文できる。
【０１４２】
請求項２６に記載の発明では、ホームページから写真アルバムへの誘導をホームページ上に写真アルバムへのリンクにより簡単に行なうことができる。
【０１４３】
請求項２７に記載の発明では、閲覧許可の対象となる写真アルバムは、多数の人がアクセスしてくることが予め想定できるため、これを静的ページとして作り置きしておき、多数のアクセスが来た時にも快適にプリント注文が受けられるようにでき、便利である。
【０１４４】
請求項２８に記載の発明では、プリント注文状況をホームページ管理者に通知することで、ホームページ管理者は自分の撮影した画像を誰が何枚プリントしたかがわかり、これにより、閲覧許可者を今後だれにするか、ホームページ管理者はこのデータを参考にでき、また撮影の幅が広がる。
【図面の簡単な説明】
【図１】ホームページの閲覧システム及びプリント注文システムの実施の形態をを示す図である。
【図２】写真アルバムの作成システムのホームページ画面を示す図である。
【図３】写真アルバムの作成メニューを示す図である。
【図４】写真アルバムを示す図である。
【図５】写真アルバムの作成過程を示す図である。
【図６】写真アルバムの閲覧許可者を登録するフローである。
【図７】写真アルバムの閲覧許可者のリストを示す図である。
【図８】写真アルバムの閲覧許可者の写真アルバム閲覧フローである。
【図９】ホームページ画面を示す図である。
【図１０】個人情報入力画面を示す図である。
【図１１】写真アルバムの閲覧許可を受けるフローである。
【図１２】閲覧許可申請書の表示を示す図である。
【図１３】プリント注文のフローである。
【図１４】ホームページ管理者が受け取るメールを示す図である。
【符号の説明】
１  ネットワーク
２  サーバ
３  ユーザ端末
４  ホームページ管理者端末
【図１】
2004246569.tif 000003
【図２】
2004246569.tif 000004
【図３】
2004246569.tif 000005
【図４】
2004246569.tif 000006
【図５】
2004246569.tif 000007
【図６】
2004246569.tif 000008
【図７】
2004246569.tif 000009
【図８】
2004246569.tif 000010
【図９】
2004246569.tif 000011
【図１０】
2004246569.tif 000012
【図１１】
2004246569.tif 000013
【図１２】
2004246569.tif 000014
【図１３】
2004246569.tif 000015
【図１４】
2004246569.tif 000016